(57)【要約】【課題】  対処する振動のレベルを可変としより確実に対処できる映像受像装置を提供する。【解決手段】  外部より受信される映像・音声信号を出力する出力部と、外部よりの振動の大きさ検出する振動検出部と、前記映像・音声信号を録画または再生するＨＤＤと、前記振動検出部で検出された振動の大きさに基づいて前記HDDに録画している状態を変化させてHDDへのコンテンツの保護およびHDD自体の保護を行うよう制御するシステムコントローラとを備えた映像受像装置。【選択図】      図１
2007273043.tif 000002
【特許請求の範囲】
【請求項１】
外部より受信される映像・音声信号を出力する出力部と、
外部よりの振動の大きさ検出する振動検出部と、
前記映像・音声信号を録画または再生するＨＤＤと、
前記振動検出部で検出された振動の大きさに基づいて前記HDDに録画している状態を変化させてHDDへのコンテンツの保護およびHDD自体の保護を行うよう制御するシステムコントローラとを
備えた映像受像装置。
【請求項２】
前記振動検出部で検出する振動の感度を外部より設定する手段を備えたことを特徴とする請求項１記載の映像受像装置。
【請求項３】
前記前記HDDに録画している状態を変化させる方法として、振動検出部の振動検出レベルがある閾値で決められたレベルで小の場合は画面上に録画に影響がある状態がある事を表示してユーザーに録画状態の注意を促す手段を備えたことを特徴とする請求項１記載の映像受像装置。
【請求項４】
前記HDDに録画している状態を変化させる方法として振動検出部の振動検出レベルがある閾値で決められたレベルで中の場合は画面上に録画状態を停止する事を通知して、HDDの保護の観点から録画状態を停止する手段を備えたことを特徴とする請求項１記載の映像受像装置。
【請求項５】
前記HDDに録画している状態を変化させる方法として振動検出部の振動検出レベルがある閾値で決められたレベルで大の場合はHDDの録画を停止して映像受像装置の電源をOFFにする手段を備えたことを特徴とする請求項１記載の映像受像装置。
【請求項６】
前記HDDに録画している状態を変化させた結果を不揮発メモリに状態パラメータとして保存しておき録画情報を表示した際に振動検知による録画番組の状態をユーザーに通知する手段を備えたことを特徴とする請求項３または４または５に記載の映像受像装置。
【請求項７】
前記HDDに録画している状態を変化させた結果を不揮発メモリに状態パラメータとして保存しておきこのパラメータを元に不具合の状態を外部より解析する手段を備えたことを特徴とする請求項３または４または５に記載の映像受像装置。
【発明の詳細な説明】
【技術分野】
【０００１】
本発明は、外部より受信される映像・音声信号を出力する映像受像装置に関し、特に映像・音声信号を録画または再生する映像受像装置に関する。
【背景技術】
【０００２】
近年、映像・音声信号を録画または再生する映像受像装置が用いられるようになっている。そのような装置においては振動等の外力に対して機器を保護する機能を持たせようとしているものがある。
【０００３】
しかし、特許文献１に記載された発明によると、ハードディスクドライブの稼動中に停電回数、及び振動を受けた累計値のデータを不揮発性のメモリに記憶させておく。診断回路においてメモリに記憶された累計データを所定のプログラムに従ってハードディスクドライブの故障の可能性を診断し表示する機能である。しかしこの場合、振動のレベルは固定でハードディスクに記録中に振動によるエラーの増加、並びにハードディスクの破壊を防止する事はできない。振動レベルもある固定値でしか判断しない為、任意に閾値を調整する事はできない。
【特許文献１】特開２００５−２６７７９９号公報
【発明の開示】
【発明が解決しようとする課題】
【０００４】
従って、本発明の目的は、対処する振動のレベルを可変としより確実に対処できる映像受像装置を提供することにある。
【課題を解決するための手段】
【０００５】
本発明は、上記の目的を達成するため、外部より受信される映像・音声信号を出力する出力部と、外部よりの振動の大きさ検出する振動検出部と、前記映像・音声信号を録画または再生するＨＤＤと、前記振動検出部で検出された振動の大きさに基づいて前記HDDに録画している状態を変化させてHDDへのコンテンツの保護およびHDD自体の保護を行うよう制御するシステムコントローラとを備えた映像受像装置を提供する。
【発明の効果】
【０００６】
本発明によれば、対処する振動のレベルを可変としより確実に対処できる映像受像装置が得られる。
【発明を実施するための最良の形態】
【０００７】
以下、本発明の実施例を説明する。
【実施例１】
【０００８】
図１に、本発明の実施形態に係わる番組情報受信装置の構成例を示す。アンテナ１には、テレビジョン高周波が誘起する。このテレビジョン高周波はチューナ２に供給する。チューナ２は入力信号のうち所定のチャンネルの信号を選曲して多重ストリームをデスクランブラ３に出力する。デスクランブラ３では、スクランブル鍵を基に、指定された番組のスクランブルされた映像や音声の信号をデスクランブルし、デマルチプレクサ４に出力する。デマルチプレクサ４はシステムコントローラの制御により、このチューナ２より出力される多重ストリームよりユーザーの所望する番組のパケットを選択して出力する。デコーダ５は、このパケットによるデータをデータ伸張処理して画像データを出力する。出力された画像データにシステムコントローラ１２の制御によりグラフィックプロセッサ８のＯＳＤ画像データを重畳してＡ／Ｖエンコード６に出力する。Ａ／Ｖエンコード６により画像データをＤ／Ａ変換して、出力部部７に映像・音声信号を出力する。
【０００９】
また、システムコントローラ１２ではシステム制御、ＯＳ制御を行い、ＲＡＭメモリ１３はシステム制御ソフト、ＧＵＩ制御ソフト、番組履歴管理ソフト、録画制御ソフト等のＲＡＭメモリである。ＲＯＭメモリ１１は、ネットワーク上の上記制御を始めとする処理プログラム・コードを格納しているものとする。また、デマルチプレクサで抽出されたＰＳＩ／ＳＩ等の情報信号はＲＡＭ１３に出力される。ＲＡＭに蓄積されたＰＳＩ／ＳＩ情報はシステムコントローラ１２で解析され、多重分離情報や番組関連情報を再生して番組情報記録部１０もしくはＲＯＭメモリ１１に保持管理し、ＥＰＧ（電子番組ガイド）表示などに利用される。メニュー表示、文字入力の際に使用する文字データや、ＲＡＭに展開するソフトを記録する他、各制御ソフトのパラメータの保存に使用する。
【００１０】
番組情報記録部１０がこのインターフェースコントローラ９を介して接続されており、放送信号の記録・再生に用いられる。尚、番組記録部１０は番組情報受信装置に内蔵して、インターフェースコントローラ９経由でシステムコントローラ１２とバス接続しても、番組情報受信装置にＩ／Ｏポート等を通じて外部接続しても良いものである。
【００１１】
ＩＲ受光部１４は、リモートコントローラー１５からの制御信号を受信して、制御信号をシステムコントローラー１２に送る。システムコントローラー１２は、送られた制御信号に基づいた動作を行いＣＨ選局などを行う。
【００１２】
振動検出部１６は、角速度センサ、もしくは加速度センサといった既存の技術を用いて容易に構成することができる。
図２は、本発明の実施の形態に係る映像受像装置の正面図である。
ＴＶ装置２１は、カラー液晶表示パネルからなり、表示画面３０Ａにカラー映像を表示する液晶表示部３０と、映像受像装置全体を固定系に搭載するためのテレビスタンド３１と、液晶表示部３０をテレビスタンド３１に回転自在に支持する支持脚部３２とを有して構成されている。このＴＶ装置２１は、図示しないリモートコントローラによって電源のＯＮ／ＯＦＦ、選局等の操作が行われる。
【００１３】
図３は、本発明の実施の形態に係る映像受像装置のセンサーの感度調整イメージに関する表示例である。ユーザは対話的に振動検出感度レベルを低中高の３段階の中からリモコン操作等により選んでいるところである。感度レベルの調整は、たとえば角度センサーの振動検出回数を増減させる手段や、振動検出速度を増減させることで変化させることができる。
【００１４】
図４は、本発明の実施の形態に係る映像受像装置の録画中の振動レベル小の場合のイメージに関する表示例である。録画中の振動レベル小の場合に対応し、「微弱な振動を検出しました。録画番組内容に影響が有ります。」というメッセージがまず出る。ユーザがリモコンで確認操作を行うと次の「振動が継続しています。HDD保護の為、録画停止を推奨します録画を停止しますか。」というメッセージに移り、その下のYES/NOボタンの操作によりYESの場合には「録画を停止しました。」というメッセージが機器の対応動作（録画を停止）に伴って出、NOの場合には表示を終了する。
【００１５】
図５は、本発明の実施の形態に係る映像受像装置の録画中の振動レベル中の場合のイメージに関する表示例である。「中度の振動を検出しました。HDD保護の為、録画を停止します。」というメッセージが出て機器は対応動作である録画の停止を行う。録画中の振動レベル大の場合には表示を行わず速やかHDDへの録画を停止して、映像受像装置の機能待機電力以外のすべての電源を遮断して、映像受像装置が転倒して破損等の可能性を低減する。
【００１６】
図６は、本発明の実施の形態に係る映像受像装置の録画番組リストのイメージに関する表示例である。3/11 のアニメ録画時に振動レベル中が検出され、同日のニュース録画時に振動レベル大が検出された例である。後者をリモコンで選択し詳細表示を行わせると右の「振動による障害が予想され、HDD保護の為、録画番組を中断しています。」というメッセージが表示される。
【００１７】
またサービスマン向けの不具合の解析も容易に行うことができる。例えば、振動を検地した履歴と、録画番組の書き込みセクタ情報を整合することで、振動による故障、破壊であるか確認できる。
【００１８】
図7は、この発明の実施の形態に係る振動検出の動作を説明するフローチャートである。
符号１００はここでの開始ステップである。続いて符合１０１を付したステップへ進む。
符号１０１はユーザーが番組情報画面（EPG）などで予約した番組、もしくは録画選択で番組情報記録部10に録画を開始する開始して、振動検出部16を機能するステップである。続いて符合１０２を付したステップへ進む。
【００１９】
符号１０２は、振動検出部１６で振動検出を開始する。振動検出の感度レベルは図３で示すようにユーザー設定で任意に選んだ状態で動作する。続いて符合１０３を付したステップへ進む。
【００２０】
符号１０３は、振動検出部１６で、振動が検出されたか否かを判断するステップである。振動が検出された判断された場合は、符号１０４を付したステップへ進む(Yes)。振動が検出されないと判断された場合は符号１０５を付したステップへ進む（NO）。
【００２１】
符号１０４は、振動が検出された大きさ（小、中、大）で図８、図９、図１０に示したフローチャートに進み終了後、符号１０５を付したステップへ進む。
符号１０５は、番組情報記録部１０に録画が終了しているか判断するステップである。録画が終了されたと判断された場合は、符号１０６を付したステップへ進む（ YES
【００２２】
)。録画が終了されていないと判断された場合は符号１０２を付したステップへ進む（NO）。
符号１０６は、振動検出の動作を終了するステップである。
図８は、図７の符号１０４で、振動検出レベルが小であった場合のフローチャートである。
符号１０７は、ここでの開始ステップである。続いて符合１０８を付したステップへ進む。
符号１０８は、振動を検出したことを画面上に表示してユーザーに振動を検出している事を通知する。この場合、振動による録画番組への影響と番組情報記録部１０(ＨＤＤ)に対する影響などを合わせて通知する。
【００２３】
符号１０９は、振動検出部１６で、振動が検出され続けているか否かを判断するステップである。振動検出の継続時間は一定の閾値で判断する。振動を継続していると判断された場合は、符号１１０を付したステップへ進む（YES）。振動を継続していないと判断された場合は、符号１１４を付したステップへ進む（NO）。
【００２４】
符号１１０は、振動検出部１６の検出レベルが、小であるか判断するステップである。振動検出レベルの小は、一定の閾値で判断する。振動レベルが小と判断された場合は、符号１１１を付したステップへ進む(YES)。振動レベルが小と判断されなかった場合は、符号１１５を付したステップへ進む（NO）。
【００２５】
符号１１１は、ユーザーに録画注意を促す通知を画面上に表示すると共に中止するか否か選択する画面を表示して、符号１１２を付したステップへ進む。
符号１１２は、録画を中止するか否かユーザーの選択を判断するステップである。録画を中止するとユーザーが選択したと判断した場合は、符号１１３を付したステップへ進む（YES）。録画を中止しないとユーザーが判断した場合は、符号１１４を付したステップへ進む（NO）。
【００２６】
符号１１３は、ユーザーが録画停止を選択したので、番組情報記録部１０（ＨＤＤ）への録画を停止する。また、ユーザー選択によって録画を停止した情報を番組情報記録部１０もしくはＲＯＭメモリ１１に格納された番組情報に付加して、記録して、符号１１４を付したステップへ進む。
【００２７】
符号１１４は、振動検出のレベル（小、中、大）情報を番組情報記録部１０もしくはＲＯＭメモリ１１に格納された番組情報に付加して、記録して、符号１１８を付したステップへ進む。
【００２８】
符号１１５は、振動検出部１６の検出レベルが、中であるか判断するステップである。振動検出レベルの中は、一定の閾値で判断する。振動レベルが中と判断された場合は、符号１１６を付したステップへ進む(YES)。振動レベルが中と判断されなかった場合は、符号１１７を付したステップへ進む（NO）。
【００２９】
符号１１６は、振動検出部１６の検出レベルが、中の時のフローチャート図９へ遷移する。遷移後の処理が終了した場合は、符号１１４を付したステップへ進む。
符号１１７は、振動検出部１６の検出レベルが、大の時のフローチャート図１０へ遷移する。遷移後の処理が終了した場合は、符号１１４を付したステップへ進む。
符号１１８は、振動検出レベルが小であった場合の動作を終了するステップである。終了後、図７のフローチャート符号１０５を付したステップへ進む。
図９は、図７の符号１０４ならびに、図８の符号１１５で、振動検出レベルが中であった場合のフローチャートである。
符号１１９は、ここでの開始ステップである。続いて符合１２０を付したステップへ進む。
符号１２０は、中レベルの振動を検出したことを画面上に表示してユーザーに振動を検出している事を通知する。画面上に表示後、符号１２１を付したステップへ進む。
【００３０】
符号１２１は、振動からの衝撃で、番組情報記録部１０(ＨＤＤ)が故障事を防ぐ目的で、録画中の番組をＨＤＤへの録画を停止する。また、振動レベル中と判断された場合によって録画を停止した情報を番組情報記録部１０もしくはＲＯＭメモリ１１に格納された番組情報に付加して、記録して、符号１２２を付したステップへ進む。
【００３１】
符号１２２は、録画中の番組の録画を停止した事をユーザーに通知する。画面上に表示後、符号１２３を付したステップへ進む。
符号１２３は、振動検出レベルが中であった場合の動作を終了するステップである。終了後、図７のフローチャート符号１０５を付したステップへ進む。
図１０は、図７の符号１０４ならびに、図８の符号１１５で、振動検出レベルが中ではないと判断された場合（ NO）のフローチャートである。
符号１２４は、ここでの開始ステップである。続いて符合１２５を付したステップへ進む。
符号１２５は、振動検出部１６の検出レベルが、大である為直ちにＨＤＤへの録画を停止する。また、振動レベル大と判断された場合によって録画を停止した情報を番組情報記録部１０もしくはＲＯＭメモリ１１に格納された番組情報に付加して、記録して、符号１２６を付したステップへ進む。
【００３２】
符号１２６は、振動レベルが大で、映像受像装置が転倒して、ＨＤＤを破壊する恐れがあるので、システムの機能待機以外のすべての電源をＯＦＦして、符号１２７を付したステップへ進む。
【００３３】
符号１２７は、振動検出レベルが大であった場合の動作を終了するステップである。終了後、図７のフローチャート符号１０５を付したステップへ進む。
図１１は、振動検出部１６の振動検出レベルの閾値を想定した例である。振動レベルが小と判断される場合は、地震の震度３未満程度とする。振動レベルが中と判断される場合は、地震の震度３以上〜５未満程度とする。振動レベルが大と判断される場合は、地震の震度５以上とする。
【００３４】
本発明の実施形態は、概略的には、HDD等を内蔵してTV番組を記録している時に地震もしくは、何らかの衝撃などによる振動によりHDDに記録するエラー率が上昇する。また、地震などによりTVセットが転倒する恐れがある。その為、TVセットに振動を検出する振動センサーを儲け、TVセットに加わる振動の度合いによって、TVセットの動作状態を段階的に切り替える。振動が微動である場合は、TV画面に振動による記録エラーの警告を表示する。さらに振動が大きくなった場合は、HDDの録画状態を停止してHDDの破壊を防ぐ。TVセットが倒れるほどの振動である場合は、電源をOFFする動作に移行する。
【００３５】
尚、仮に振動によって録画を停止した場合は、録画履歴に停止理由がわかるようにしてユーザの認識を促す。
本実施形態によりユーザーは、地震やその他の振動によるHDDの故障を防ぐことができる。HDDに録画している状態で地震などによりHDDへの衝撃が伝わるとHDD自体が破壊される可能性がある。また、HDDに録画している状態で地震などで転倒するとさらにHDDが破壊される可能性が高くなる。その為、振動を検知するセンサーを装備して、振動のレベルによって録画状態を遷移させる事により、よりHDDの破壊を防ぐことができる。
【００３６】
なお、本発明は、上記した実施の形態に限定されず、本発明の技術思想を逸脱あるいは変更しない範囲内で種々な組み合わせ、変形が可能である。
【図面の簡単な説明】
【００３７】
【図１】本発明の実施の形態に係る映像受像装置としての実施形態に係わる番組情報受信装置の構成例である。
【図２】本発明の実施の形態に係る映像受像装置の正面図である。
【図３】本発明の実施の形態に係る映像受像装置のセンサーの感度調整イメージに関する表示例である。
【図４】本発明の実施の形態に係る映像受像装置の録画中の振動レベル小の場合のイメージに関する表示例である。
【図５】本発明の実施の形態に係る映像受像装置の録画中の振動レベル中の場合のイメージに関する表示例である。
【図６】本発明の実施の形態に係る映像受像装置の録画番組リストイメージに関する表示例である。
【図７】本発明の実施の形態に係る映像受像装置の振動検出の動作を説明するフローチャートである。
【図８】本発明の実施の形態に係る映像受像装置の振動検出の動作を説明するフローチャートで図７の符号１０４で、振動検出レベルが小であった場合のフローチャートである。
【図９】本発明の実施の形態に係る映像受像装置の振動検出の動作を説明するフローチャートで図７の符号１０４ならびに、図８の符号１１５で、振動検出レベルが中であった場合のフローチャートである。
【図１０】本発明の実施の形態に係る映像受像装置の振動検出の動作を説明するフローチャートで図７の符号１０４ならびに、図８の符号１１５で、振動検出レベルが中ではないと判断された場合（ NO）のフローチャートである。
【図１１】本発明の実施の形態に係る映像受像装置の振動検出部１６の振動検出レベルの閾値を表した例である。
【符号の説明】
【００３８】
1      アンテナ
2      チューナー
3      デスクランブラ
4      デマルチプレクサ
5      デコーダ
6      Ａ／Ｖエンコード
7      出力部
8      グラフィクプロセッサ
9      ＩＲ受光部
10     リモートコントローラー
11     ＲＯＭメモリ
12     システムコントローラ
13     ＲＡＭメモリ
14     ＩＲ受光部
15     リモートコントロール
16     振動検出部
2１    ＴＶ装置
30     液晶表示部
30Ａ      表示画面
31                   テレビスタンド
32                    支持脚部
【図１】
2007273043.tif 000003
【図２】
2007273043.tif 000004
【図３】
2007273043.tif 000005
【図４】
2007273043.tif 000006
【図５】
2007273043.tif 000007
【図６】
2007273043.tif 000008
【図７】
2007273043.tif 000009
【図８】
2007273043.tif 000010
【図９】
2007273043.tif 000011
【図１０】
2007273043.tif 000012
【図１１】
2007273043.tif 000013